(57)【要約】  製品を分注するためのディスペンサは側壁を有するディスペンサ本体を含む。側壁は第１の内部セクションと第２の内部セクションとを全般的に画定する。第１の内部セクションは製品を収容するように構成されており、第２の内部セクションは製品の分注用に構成されている。ディスペンサはディスペンサが閉位置にありシールを形成している際にディスペンサ本体に係合するように構成されているリップを有する蓋を更に含む。ディスペンサは作動部及び係合部を有する解放機構を更に含む。作動部の少なくとも一部は側壁の孔の周囲に配置されている。蓋が閉位置にある際、係合部は側壁とリップとの間の第２の内部部分に配置されている。
2015514045.tif 000002
【特許請求の範囲】
【請求項１】
製品の分注用のディスペンサであって、
前記製品を収容するように構成されている内部セクションを全般的に画定する側壁と、前記内部セクションに通じており、製品の分注用に構成されている開口部と、を有するディスペンサ本体と、
前記ディスペンサが閉位置にありシールを形成している際に前記ディスペンサ本体に係合するように構成されているリップを有する蓋と、
作動部及び係合部を有する解放機構であって、前記作動部の少なくとも一部が前記側壁の孔の周囲に配置されており、前記蓋が閉位置にある際、前記係合部が前記側壁と前記リップとの間に配置されている、解放機構と、
を含む、製品の分注用のディスペンサ。
【請求項２】
前記内部セクションが第１の内部セクションと第２の内部セクションとを含み、前記第１の内部セクションが前記製品を収容するように構成されており、前記第２の内部セクションが前記開口部を画定し、且つ製品の分注用に構成されている内部チャネルを有する、請求項１に記載のディスペンサ。
【請求項３】
前記蓋が前記閉位置にある際、前記係合部が前記側壁と前記リップとの間の前記第２の内部セクションに配置されている、請求項２に記載のディスペンサ。
【請求項４】
前記解放機構が、前記係合部が前記リップに係合して前記蓋を前記閉位置に保持する第１の位置と、前記係合部が前記リップからずらされて前記蓋が開位置に動くことを可能とする第２の位置との間において動く、請求項１〜３のいずれか一項に記載のディスペンサ。
【請求項５】
前記第２の位置が前記第１の位置に対して下方にある、請求項４に記載のディスペンサ。
【請求項６】
前記作動機構がバネを含み、前記バネが、前記解放機構を、前記係合部が前記リップの前記内部部分に係合する前記第１の位置に付勢するように構成されている、請求項１〜５のいずれか一項に記載のディスペンサ。
【請求項７】
前記解放機構が、前記作動部の少なくとも一部から１つ又は複数のスロットによって分離された側部を含む、請求項１〜６のいずれか一項に記載のディスペンサ。
【請求項８】
前記作動部がタブを含む、請求項１〜７のいずれか一項に記載のディスペンサ。
【請求項９】
前記蓋がヒンジによって前記ディスペンサ本体に取り付けられている、請求項１〜８のいずれか一項に記載のディスペンサ。
【請求項１０】
前記ディスペンサ本体が、上部部品と、前記上部部品に脱着可能に連結された下部部品として形成されている、請求項１〜９のいずれか一項に記載のディスペンサ。
【請求項１１】
前記下部部品及び前記上部部品が嵌め込み式肩部を含む、請求項１０に記載のディスペンサ。
【請求項１２】
製品の分注用のディスペンサであって、
側壁を有するディスペンサ本体であって、前記側壁が内部セクションと、前記内部セクションに通じている開口部とを全般的に画定し、前記内部セクションが前記製品を収容するように構成されており、前記開口部が前記製品の分注用に構成されている、ディスペンサ本体と、
前記ディスペンサが閉位置にありシールを形成する際に前記ディスペンサ本体に係合するように構成されている内部リップと、前記内部リップの外側に配置された外部リップと、を有する蓋と、
作動部及び係合部を有する解放機構であって、前記作動部の少なくとも一部が前記側壁の孔の周囲に配置されており、前記蓋が閉位置にある際、前記係合部が前記内部リップと前記外部リップとの間に配置されている、解放機構と、
を含む、製品の分注用のディスペンサ。
【請求項１３】
前記解放機構が、前記係合部が前記外部リップに係合して前記蓋を前記閉位置に保持する第１の位置と、前記係合部が前記外部リップからずらされて前記蓋が開位置に動くことを可能にする第２の位置との間において動く、請求項１２に記載のディスペンサ。
【請求項１４】
前記第２の位置が前記第１の位置に対して下方にある、請求項１３に記載のディスペンサ。
【請求項１５】
前記作動機構が少なくとも１つのバネを含み、前記少なくとも１つのバネが、前記解放機構を、前記係合部が前記外部リップの前記内部部分に係合する前記第１の位置に付勢するように構成されている、請求項１２〜１４のいずれか一項に記載のディスペンサ。
【請求項１６】
前記解放機構が、前記作動部の少なくとも一部から１つ又は複数のスロットによって分離された側部を含む、請求項１２〜１５のいずれか一項に記載のディスペンサ。
【請求項１７】
前記作動部がタブを含む、請求項１２〜１６のいずれか一項に記載のディスペンサ。
【請求項１８】
前記蓋がヒンジによって前記ディスペンサ本体に取り付けられている、請求項１２〜１７のいずれか一項に記載のディスペンサ。
【発明の詳細な説明】
【技術分野】
【０００１】
本発明は、製剤全般、タバコ製品又は菓子類を含む製品を収容するためのディスペンサに関する。
【背景技術】
【０００２】
製品包装は環境保護及び破損からの保護などの多くの付加的な特徴によって製品を強化する。多くの製品は消費者の利便性及び包装の効率のために複数ユニットのパッケージ又はバルクで梱包される。一般に、パッケージが開封されると製品全体が露出する。製品を湿度などの環境から保護する必要がある場合はシールが必要である。
【０００３】
製品が保護されることを確実にするための１つの手法は、パッケージの内容全体のためのシールを提供することである。この種の手法はパッケージ設計に特定の寸法、形状又は他の設計制約条件を課す可能性がある。この手法では、パッケージを開封する消費者又は子供が製品の全てに曝露する可能性がある。アクセスが容易ではあってもパッケージから落下しないよう製品が所定の位置に保持されるように製品を拘束するための何らかの手段が必要とされよう。
【０００４】
別の手法は、保護用覆い（ｐｒｏｔｅｃｔｉｖｅ  ｅｎｖｅｌｏｐｅ）又はラッパーで製品を保護することである。このラッパーが開封されると製品全体が露出する。この場合もまた製品全体が環境に曝露するためそれはもはや保護されない。加えて、残りの製品全体に子供が曝露する。
【０００５】
パッケージの要件によっては、要件を満たすために対処する必要があるいくつかの相反する制約によって設計が複雑になる場合がある。これにより費用の加算並びに消費者にとって望ましくないパッケージに至る可能性がある。
【発明の概要】
【課題を解決するための手段】
【０００６】
本発明の一態様は製品の分注用のディスペンサである。ディスペンサは側壁を有するディスペンサ本体を含む。側壁は第１の内部セクションと第２の内部セクションとを全般的に画定する。第１の内部セクションは製品を収容するように構成されており、第２の内部セクションは製品の分注用に構成されている。第２の内部セクションは内部チャネル及び開口部を有する。ディスペンサは、ディスペンサが閉位置にありシールを形成している際にディスペンサ本体に係合するように構成されているリップを有する蓋を更に含む。ディスペンサは作動部及び係合部を有する解放機構を更に含む。作動部の少なくとも一部は側壁の孔の周囲に配置されている。蓋が閉位置にある際、係合部は側壁とリップとの間の第２の内部部分に配置されている。
【０００７】
本発明の別の態様は製品の分注用のディスペンサである。ディスペンサは、側壁を有するディスペンサ本体を含む。側壁は内部セクション及び開口部を全般的に画定する。内部セクションは製品を収容するように構成されており、開口部は製品の分注用に構成されている。ディスペンサは、ディスペンサが閉位置にありシールを形成する際にディスペンサ本体に係合するように構成されている内部リップと、内部リップの外側に配置された外部リップと、を有する蓋を更に含む。ディスペンサは、作動部及び係合部を有する解放機構を更に含む。作動部の少なくとも一部はディスペンサ本体の側壁の孔の周囲に配置されている。蓋が閉位置にある際、係合部は内部リップと外部リップとの間に配置されている。
【図面の簡単な説明】
【０００８】
【図１】本発明の一実施形態による、蓋が閉位置にあるディスペンサの第１の実施形態の前部斜視図を示す。
【図２】蓋が開位置にある、図１に示されるディスペンサの前部斜視図を示す。
【図３】図１に示されるディスペンサの側面図を示す。
【図４】図１に示されるディスペンサの背面図を示す。
【図５】図１に示されるディスペンサの側部断面図を示す。
【図６】図２に示されるディスペンサの側部断面図を示す。
【図７】本発明の一実施形態による解放機構の前面図を示す。
【図８】図７に示される解放機構の側面図を示す。
【図９】図７に示される解放機構の背面図を示す。
【図１０】本発明の一実施形態による、蓋が閉位置にあるディスペンサの第２の実施形態の前部斜視図を示す。
【図１１】蓋が開位置にある、図１０に示されるディスペンサの前部斜視図を示す。
【図１２】図１０に示されるディスペンサの側面図を示す。
【図１３】図１０に示されるディスペンサの背面図を示す。
【図１４】図１０に示されるディスペンサの側部断面図を示す。
【図１５】図１１に示されるディスペンサの側部断面図を示す。
【図１６】本発明の一実施形態による解放機構の前面図を示す。
【図１７】図１６に示される解放機構の側面図を示す。
【図１８】図１６に示される解放機構の背面図を示す。
【発明を実施するための形態】
【０００９】
ここで、いくつかの実施形態を示す添付の図面を参照して本発明をより詳細に記載する。本発明は、しかしながら、多くの異なる形態において具現化してもよく、ここで説明する実施形態を限定するものと解釈すべきではない。むしろ、これら実施形態は特許請求の範囲の言語によって示される全範囲を有する本発明の実施例である。更に、前述の説明においては利便性のため、参照する図面における方向を示す、例えば「前」、「後」及び「下」などの語を含む特定の用語が使用されるが限定を意図するものではない。この用語には、特に上に記載した語、その派生語及び同様の趣旨の語を含む。全体を通して同様の数字は同様の要素を意味する。
【００１０】
図１〜６は、本発明によるディスペンサ１００の第１の実施形態を示す。示されるように、ディスペンサ１００は、ディスペンサ本体１１０と、蓋１０４と、解放機構１０８と、を含む。特定の実施形態によれば、蓋１０４は、使用者が蓋１０４を図１に示すような閉位置から図２に示すような開位置に方向Ｒに枢動することを可能にするヒンジ１１２によってディスペンサ本体１１０に取り付けられてもよい。特定の実施形態によれば、ディスペンサ本体１１０と、蓋１０４と、ヒンジ１１２とは全て共に一体成形されてもよい。他の実施形態によれば、ディスペンサ本体１１０と、ヒンジ１１２と、蓋１０４とは、ヒンジ１１２を介して互いに作動的に連結された別個の構成要素であってもよい。例えば、ヒンジ１１２は、とりわけネジ又はリベットなどのプラスチック溶接部、接着剤又は機械的な締結具の使用を通じてディスペンサ本体１１０と蓋１０４とに固定されてもよい。他の実施形態によれば、蓋１０４がディスペンサ本体１１０から取り外され、且つ分離されてもよいように、蓋１０４はディスペンサ本体１１０に直接的又は間接的に取り付けなくてもよい。
【００１１】
ディスペンサ本体１１０は、第１の内部セクション１１４と第２の内部セクション１１６とを全般的に画定する側壁１０２を有する。第１の内部セクション１１４は製品（複数）１１８を保管又は収容するように構成されている一方で、第２の内部セクション１１６はディスペンサ１００内に収容された製品１１８の分注用に構成されている。
【００１２】
特定の実施形態によれば、ディスペンサ本体１１０は、第１の内部セクション１１４を実質的に形成する下部部品１０６と、第２の内部セクション１１６を実質的に形成する上部部品１２０と、を含む２つの部品として形成されている。例えば、第１の内部セクション１１４内における製品の配置又はディスペンサ１００の洗浄を可能とするため、下部部品１０６は上部部品１２０から取り外し可能であってもよい。下部部品１０６と上部部品１２０とは当技術分野において公知の連結部を形成する任意の適切な手段によって接合されうる。示される実施形態においては、下部部品１０６及び上部部品１２０は、摩擦係合を形成する嵌め込み式肩部１２８，１３０を含む。上部部品１２０を下部部品１０６と連結する他の適切な手段には、ねじ状連結部、機械的締結具及びスナップ係合を含む。
【００１３】
少なくとも図２、５及び６に示すように、第２の内部セクション１１６は、入口１２２から第２の内部セクション１１６まで延びる内部チャネル１２６を含む。製品１１８がディスペンサ１００から分注される場合、ディスペンサ１００は、製品１１８が第１の内部セクション１１４から第２の内部セクション１１６の内部チャネル１２６に移動することができるように配置してもねじっても振ってもよい。
【００１４】
特定の実施形態によれば、内部チャネル１２６は側壁１０２の隣接部から内方にオフセットしてもよい。更に、内部チャネル１２６が側壁１０２からオフセットする距離は第２の内部セクション１１６の異なる部分において異なっていてもよい。例えば、図５に示すように、内部チャネル１２６の前部分１３２は、内部チャネル１２６の後部分１３４がその側壁１０２の隣接部から離間するよりも更に側壁１０２の隣接部から離間してもよい。特定の実施形態によれば、そのようなスペーシングは解放機構１０８などの、ディスペンサ１００の他の構成要素のための領域を提供するために形成してもよい。
【００１５】
ディスペンサ１００は、また、ディスペンサ１００が閉じている際にディスペンサ１００の内部セクション１１４、１１６の少なくとも一部を外部環境から分離するリップシール配置を含む。示される実施形態によれば、リップシールは、図５に示すように蓋１０４が閉位置にある際に内部チャネル１２６の上領域に係合する及び／又は当接する蓋１０４の閉じたリップ１３６によって提供される。一実施形態によれば、リップ１３６と内部チャネル１２６との嵌合係合（ｍａｔｉｎｇ  ｅｎｇａｇｅｍｅｎｔ）が所望のシールを提供するようにリップ１３６が内部チャネル１２６に係合している場合、リップ１３６及び／又は内部チャネル１２６の上領域は、湾曲するか、変形するか、偏向するように形成してもよい。このような係合は、また、蓋１０４を閉位置において維持することを少なくとも補助してもよい。
【００１６】
図７〜９は、本発明の一実施形態による解放機構１０８を示す。示される解放機構１０８は、解放機構１０８の上領域に配置された、作動部１３８と、バネ１４０と、側部１４２と、係合部１４４と、を含む。図５及び図６に示すように、解放機構１０８の少なくとも一部はディスペンサ１００の内部チャネル１２６と側壁１０２との間に配置されている。同様に示されるように、ディスペンサ１００の側壁１０２内の孔１４６を通じて使用者が作動部１３８にアクセス可能であってもよい。示される実施形態によれば、作動部１３８は、使用者の、作動部１３８に係合させるための能力を促進する、外向きに延在するタブ１４８を含む。作動部１３８は、解放機構１０８の側部１４２及び係合部１４４からスロット１５０によって分離されてもよい。解放機構１０８の側部１４２及び係合部１４４は側壁１０２の内部領域の少なくとも一部に沿って延在してもよい。図５に示すように、蓋１０４が閉位置にある際、解放機構１０８は第１の位置にある。第１の位置では、解放機構１０８の側部１４２の対向面及び係合部１４４が蓋１０４のリップ１３６の少なくとも一部に係合してもよい。特定の実施形態によれば、このような係合は、リップ１３６の隣接部を押すのを補助し、内部チャネル１２６との所望のシールの形成を少なくとも補助してもよい。付加的に、解放機構１０８の係合部１４４及び／又は側部１４２のそのような係合は、また、蓋１０４を閉位置で保持するのを補助してもよい。更に、そのような構成に鑑み、特定の実施形態によれば、ディスペンサ１００が開いている際、内部チャネル１２６と係合部１４４及び側部１４２との間に、リップ１３６の少なくとも一部の配置を受け入れるように構成されたスペースがあってもよい。
【００１７】
一実施形態によれば、ディスペンサ１００が開けられる際、ディスペンサ１００の解放機構１０８、特に、解放機構１０８の係合部１４４を第２の位置に下げるために、使用者は、全般的に、作動部１３８を下方に、すなわち、ディスペンサ１００の基部１５６に向かってスライドさせてもよい。そのような一実施形態によれば、第２の位置にある際に、閉位置と開位置との間おいて動かされるリップ１３６の機能を妨げないように係合部１４４を移動させてもよく、その逆としてもよい。使用者が作動部１３８を解放すると、バネ１４０は解放機構１０８を付勢して全般的に第１の位置に戻してもよい。
【００１８】
開いたディスペンサ１００の蓋１０４が閉じられる際、使用者は、閉じたディスペンサ１００を開けるために使用したのと同様の手法で解放機構１０８を第２の位置に下方に操作することによって解放機構１０８を再度係合してもよい。蓋１０４が閉位置にある際、使用者は作動部１３８を解放してもよく、それによって、係合部１４４がリップ１３６の少なくとも一部に押し付けられる第１の位置に解放機構１０８が戻ることを可能にする。上述のように、特定の実施形態によれば、係合部１４４の少なくとも一部と解放機構１０８の側部１４２とは、リップ１３６の少なくとも一部を受け入れるために形成された間隙によって内部チャネル１２６から分離されてもよい。
【００１９】
図１０〜１５は、本発明によるディスペンサ２００の第２の実施形態を示す。示されるように、ディスペンサ２００は、ディスペンサ本体２１０と、蓋２０４と、解放機構２０８と、を含む。特定の実施形態によれば、蓋２０４は、ディスペンサ本体２１０に、使用者が蓋２０４を図１０に示すような閉位置から図１１に示すような開位置に方向Ｒに枢動することを可能にするヒンジ２１２によって取り付けられてもよい。特定の実施形態によれば、ディスペンサ本体２１０と、蓋２０４と、ヒンジ２１２は、全て共に一体成形されてもよい。他の実施形態によれば、ディスペンサ本体２１０と蓋２０４は、ヒンジ２１２を介して互いに作動的に連結された別個の構成要素であってもよい。例えば、ヒンジ２１２は、とりわけネジ又はリベットなどのプラスチック溶接部、接着剤又は機械的な締結具の使用を通じてディスペンサ本体２１０と蓋２０４とに固定されてもよい。他の実施形態によれば、蓋２０４がディスペンサ本体２１０から取り外され、且つ分離されてもよいように、蓋２０４はディスペンサ本体２１０に直接的又は間接的に取り付けなくてもよい。図１４及び図１５に示すように、以下に記載されるように、蓋は、蓋外壁２２２に対して内側にあるが、内部リップ２３６に対して外側にある外部リップ２２４を含んでもよい。外部リップ２２４は蓋２０４の内周の周りに完全に又は図示した実施形態に示すようにその前に沿ってのみ延在しうる。以下に記載されるように、外部リップ２２４は解放機構２０８の係合を容易にする。
【００２０】
ディスペンサ本体２１０は、内部セクション２１４と開口部２１６とを全般的に画定する側壁２０２を有する。内部セクション２１４は製品（複数）２１８を保管又は収容するように構成されている。開口部２１６が内部セクション２１４に通じており、ディスペンサ２００内に収容された製品２１８の分注用に構成されている。蓋２０４は、図１０の閉位置にある際には開口部２１６を覆い、図１１の開位置にある際には製品２１８の分注のために開口部２１６を露出させる。
【００２１】
ディスペンサ２００は、また、ディスペンサ２００が閉じられている際、ディスペンサ２００の内部セクション２１４の少なくとも一部を外部環境から分離するためのリップシール配置を含む。示される実施形態によれば、リップシールは、図１４に示すように、蓋２０４が閉位置にある際に開口部２１６を画定する側壁２０２の上領域に係合する及び／又は当接する蓋２０４の閉じた内部リップ２３６によって提供される。一実施形態によれば、内部リップ２３６と側壁２０２との嵌合係合が所望のシールを提供するように内部リップ２３６が側壁２０２に係合している場合、内部リップ２３６及び／又は側壁２０２の上領域は湾曲するか、変形するか、偏向するように構成してもよい。そのような係合は、また、蓋２０４を閉位置において維持するのを少なくとも補助してもよい。
【００２２】
図１６〜１８は、本発明の一実施形態による解放機構２０８を示す。示される解放機構２０８は、解放機構２０８の上部分（ｕｐｐｅｒ  ａｒｅａ）にある、作動部２３８と、バネ２４０と、側部２４２と、係合部２４４と、を含む。図１４に示すように、蓋２０４が閉位置にある際、解放機構２０８の少なくとも一部は、ディスペンサ本体の側壁２０２と蓋２０４との間、並びに外壁２２２の少なくとも一部と蓋２０４の外部リップ２２４との間に配置されている。同様に示されるように、使用者は作動部２３８にディスペンサ本体２１０の側壁２０２内の孔２４６を通じてアクセス可能であってもよい。示される実施形態における孔２４６は外壁２２２の下端から延びる切り抜きとして形成されるが、また、完全に塞ぎ、外壁２２２の内側領域に形成することもできる。
【００２３】
示される実施形態によれば、作動部２３８は、作動部２３８に係合させるための使用者の能力を促進する、外向きに延在するタブ２４８を含む。作動部２３８は解放機構２０８の側部２４２及び係合部２４４からスロット２５０によって分離されてもよい。解放機構２０８の側部２４２及び係合部２４４は側壁２０２の外部領域の少なくとも一部に沿って延在してもよい。図１４に示すように、蓋２０４が閉位置にある際、解放機構２０８は第１の位置にある。第１の位置では、解放機構２０８の側部２４２の対向面及び係合部２４４が蓋２０４の外部リップ２２４の少なくとも一部に係合してもよい。特定の実施形態によれば、そのような係合は、内部リップ２３６の隣接部を押すことを補助し、内部チャネル２２６との所望のシールの形成を少なくとも補助してもよい。付加的に、解放機構２０８の係合部２４４及び／又は側部２４２のそのような係合は、また、蓋２０４を閉位置に保持するのを補助してもよい。更に、そのような構成を鑑み、特定の実施形態によれば、ディスペンサ２００が開いている際、側壁２０２と係合部２４４及び側部２４２との間に、外部リップ２２４の少なくとも一部の配置を受け入れるように構成されているスペースがあってもよい。
【００２４】
一実施形態によれば、ディスペンサ２００が開けられる際、ディスペンサ２００の解放機構２０８、特に、解放機構２０８の係合部２４４を第２の位置に下げるために、使用者は、全般的に、作動部２３８を下方に、すなわち、ディスペンサ２００の基部２５６に向かってスライドさせてもよい。そのような一実施形態によれば、第２の位置にある際に、閉位置と開位置との間において動かされる外部リップ２２４の機能を妨げないように係合部２４４を移動させてもよく、その逆としてもよい。使用者が作動部２３８を解放すると、バネ２４０は解放機構２０８を付勢して第１の位置に戻してもよい。
【００２５】
開いたディスペンサ２００の蓋２０４が閉じられる際、使用者は、閉じたディスペンサ２００を開けるために使用したのと同様の手法で解放機構２０８を第２の位置に下方に操作することによって解放機構２０８を再度係合してもよい。蓋２０４が閉位置にある際、使用者は作動部２３８を解放してもよく、それによって、係合部２４４が内部リップ２３６の少なくとも一部に押し付けられる第１の位置に解放機構２０８が戻ることを可能にする。上述のように、特定の実施形態によれば、係合部２４４の少なくとも一部と解放機構２０８の側部２４２とは、外部リップ２２４の少なくとも一部を受け入れるために構成された間隙によって側壁から分離されてもよい。
【００２６】
上に本発明の好適な実施形態を詳細に記載したが、本発明は記載された特定の実施形態に限定されず、それらは単に例示であるとみなすべきである。
【００２７】
【表１】
2015514045.tif 000003
【００２８】
【表２】
2015514045.tif 000004
【００２９】
【表３】
2015514045.tif 000005
【図１】
2015514045.tif 000006
【図２】
2015514045.tif 000007
【図３】
2015514045.tif 000008
【図４】
2015514045.tif 000009
【図５】
2015514045.tif 000010
【図６】
2015514045.tif 000011
【図７】
2015514045.tif 000012
【図８】
2015514045.tif 000013
【図９】
2015514045.tif 000014
【図１０】
2015514045.tif 000015
【図１１】
2015514045.tif 000016
【図１２】
2015514045.tif 000017
【図１３】
2015514045.tif 000018
【図１４】
2015514045.tif 000019
【図１５】
2015514045.tif 000020
【図１６】
2015514045.tif 000021
【図１７】
2015514045.tif 000022
【図１８】
2015514045.tif 000023
【国際調査報告】
2015514045.tif 000024
2015514045.tif 000025